(57)【要約】      （修正有）【課題】データ通信を行う場合と行わない場合とで充電装置の形状を選択可能な携帯電話用充電装置を提供する。【解決手段】本発明は携帯電話機を収容するキャビネット部１と、底面部４及び傾斜部５から成り、キャビネット部１を起立させるＬ字型のスタンド部とを備えた携帯電話機用充電装置である。第１の状態では底面部４の外面によって設置面２３に当接し、キャビネット部１を支持している。第２の状態では底面部４及び傾斜部５のそれぞれの端部によって設置面２３に当接し、キャビネット部１の下部は底面部４の上部と当接しており、キャビネット部１の下端と設置面との間にはデータ通信用ケーブルを接続する空間が形成される。【選択図】      図７
2004312101.tif 000002
【特許請求の範囲】
【請求項１】
携帯電話機を収容するキャビネット部と、該キャビネット部を設置面に支持するスタンド部とを備えた携帯電話機用充電装置において、
前記スタンド部は底面部と傾斜部によりＬ字状に形成され、Ｌ字の屈折部を支点として前記キャビネット部に回転可能に装着されており、前記スタンド部を回転させることにより、前記底面部が設置面に当接する第１の状態と、前記底面部及び前記傾斜部の端部が設置面に当接する第２の状態とを択一選択できることを特徴とする携帯電話機用充電装置。
【請求項２】
前記第１の状態では前記キャビネット部の下端は設置面の近傍に位置し、前記第２の状態では前記第１の状態に比し前記キャビネット部の下端と設置面との間隔が広く設けられることを特徴とする請求項１に記載の携帯電話機用充電装置。
【請求項３】
前記第２の状態では前記キャビネット部の下端よりデータ通信用ケーブルを接続した状態で携帯電話機に充電可能としたことを特徴とする請求項１又は請求項２に記載の携帯電話機用充電装置。
【請求項４】
前記底面部に前記第１の状態においてＡＣアダプターのコードが通過する開口部を設けたことを特徴とする請求項１〜請求項３のいずれかに記載の携帯電話機用充電装置。
【請求項５】
前記傾斜部に前記第２の状態においてＡＣアダプターのコードが通過する開口部を設けたことを特徴とする請求項１〜請求項４のいずれかに記載の携帯電話機用充電装置。
【発明の詳細な説明】
【０００１】
【発明の属する技術分野】
本発明は携帯電話機用充電装置に関し、特にデータ通信が可能な薄型ストレートタイプの携帯電話機用として好適に使用可能な充電装置に関するものである。
【０００２】
【従来の技術】
従来の携帯電話機用の充電装置の構成について説明する。図９はストレートタイプの携帯電話機用充電装置の側面図である。充電装置本体１００の上面には携帯電話機を収容する収容部１０１が設けられ、収容部１０１の底面には充電端子１０２が配置されている。充電装置本体１００の後部にはＡＣアダプター（図示せず）を介してコンセントに接続するコード１０３を備えている。収容部１０１に携帯電話機が収容されると、携帯電話機の下部に設けられた充電用の電極が収容部１０１の底面に設けられた充電端子１０２に接触して充電がなされる。
【０００３】
最近、コンピュータや他のモバイル機器との間でデータ通信が可能な携帯電話機が普及している。ストレートタイプの携帯電話機の場合、データ通信用のケーブルは通常携帯電話機の下端に接続される。そのため、上記のような従来の充電装置では充電中の携帯電話機にデータ通信用のケーブルを接続することができず、充電と並行してデータ通信を行うことができなかった。そこで、携帯電話機の収容部と充電装置の設置面との間に所定の間隔を設け、充電中においてもデータ通信用のケーブルを接続できるようにすることが考えられる。
【０００４】
【発明が解決しようとする課題】
しかし、データ通信を行わない場合には携帯電話機の収容部と充電装置の設置面との間隔は無駄なものとなり、携帯電話機の収容部が高い位置に設けられ重心が高くなるため不安定となり、倒れやすくなってしまう。また、薄型ストレートタイプの携帯電話機においては、充電装置も携帯電話機のデザインにマッチした薄型が要求されるが、充電装置本体が大きくなりデザイン性に欠けるうえ、コスト面でも高くなる。
【０００５】
そこで、ＡＣアダプターを接続するコネクタを充電装置の側面に設け、携帯電話機の収容部の一部を回転させて充電中のデータ通信を可能とする方式が考案されている。しかし、充電装置の側面にコネクタを配置した場合、正面からＡＣアダプターの接続プラグが見えてしまうためデザイン的に劣ってしまう。
【０００６】
本発明は上記課題を鑑みてなされたものであり、データ通信を行う場合と行わない場合とで充電装置の形状を選択可能であり、且つデザイン的にも優れた携帯電話用充電装置を提供することを目的とする。
【０００７】
【課題を解決するための手段】
上記課題を達成するため本発明は、携帯電話機を収容するキャビネット部と、該キャビネット部を設置面に支持するスタンド部とを備えた携帯電話機用充電装置において、前記スタンド部は底面部と傾斜部によりＬ字状に形成され、Ｌ字の屈折部を支点として前記キャビネット部に回転可能に装着されており、前記スタンド部を回転させることにより、前記底面部が設置面に当接する第１の状態と、前記底面部及び前記傾斜部の端部が設置面に当接する第２の状態とを択一選択できることを特徴とする。
【０００８】
この構成によると、データ通信を行う場合と行わない場合とで充電装置の形状を自由に選択可能となり、いずれの形状とした場合でも安定に設置可能な充電装置となる。また、装置全体が大型とならずコスト面でも有利なうえデザイン性も良くなる。
【０００９】
また本発明は、上記構成の携帯電話機用充電装置において、前記第１の状態では前記キャビネット部の下端は設置面の近傍に位置し、前記第２の状態では前記第１の状態に比し前記キャビネット部の下端と設置面との間隔が広く設けられることとした。
【００１０】
この構成によると、データ通信を行わない通常の場合は第１の状態により充電を行い、携帯電話機を設置面の近くに保持することにより充電装置を安定して設置することができる。また、データ通信を行う場合は第２の状態とすることにより前記キャビネット部の下端と設置面との間にデータ通信用ケーブルを接続する空間が確保されるため充電と並行してデータ通信が可能となる。
【００１１】
また本発明は、上記構成の携帯電話機用充電装置において、前記第２の状態では前記キャビネット部の下端よりデータ通信用ケーブルを接続した状態で携帯電話機に充電可能とした。
【００１２】
この構成によると、データ通信中に携帯電話機の充電が必要となった場合や充電中にデータ通信を行う必要が生じた場合であっても、第２の状態で充電を行うことによりデータ通信や充電を中断することなく充電及びデータ通信を並行して行うことが可能となる。
【００１３】
また本発明は、上記構成の携帯電話機用充電装置において、前記底面部及び／又は前記傾斜部に前記ＡＣアダプターのコードを通過させる開口部を設けたことを特徴とする。
【００１４】
この構成によると、第１の状態、或いは第２の状態での充電中にＡＣアダプターのコードを折り曲げたりせずに充電装置を安定した状態で設置できる。
【００１５】
【発明の実施の形態】
以下に本発明の第１実施形態を図面を参照して説明する。図１は本実施形態の充電装置を示した第１の状態の側面図であり、図２は第１の状態をキャビネット部側から見た正面図であり、図３は第１の状態においてキャビネット部とスタンド部を分離した斜視図であり、図４は第１の状態をスタンド部側から見た背面図である。
【００１６】
図１において、１は携帯電話機を収容するキャビネット部であり、キャビネット部１の下部には携帯電話機を保持する保持部２が設けられている。側面方向から見た場合、保持部２は上端から略中央部までは緩やかにカーブしながら下部に向かってテーパ状に形成され、略中央部から下端までは一定の幅に形成されている。これにより、携帯電話機本体に指がかかりやすくなり携帯電話機のキャビネット部１への着脱を円滑にする。３はキャビネット部１を支持し、起立させるスタンド部であり、底面部４及び底面部４の一端から所定の角度で上向きに立設される傾斜部５から構成されている。すなわち、スタンド部３は底面部４及び傾斜部５によりＬ字状に形成されている。第１の状態においては傾斜部５の外面はキャビネット部１の背面と当接しており、底面部４の下面によって設置面（図示せず）に当接し、キャビネット部１を支持する。このようにスタンド部３を設けたことにより、キャビネット部１を薄型にしても安定に携帯電話機を支持することができる。６はキャビネット部１の背面下方に設けられた本体部であり、ＡＣアダプターを接続するコネクタや充電操作を制御する基板等が内蔵されている。スタンド部３は、後述するようにＬ字状の屈折部７において本体部６と回転可能に装着されている。
【００１７】
次にキャビネット部１の構造について説明する。図２において、保持部２はキャビネット部１の両端下部に左右対称に設けられ、左右の保持部２の間にはデータ通信ケーブルを接続するための接続口８が設けられている。保持部２は上段部２ａ、中段部２ｂ、及び下段部２ｃから構成されており、上段部２ａは正面から見てキャビネット部１に垂直方向にのみ設けられているが、中段部２ｂ及び下段部２ｃは正面から見て幅広部を有し、下段部２ｃは中段部２ｂよりも更に幅広に形成されている。つまり保持部２はキャビネット部１の下端に向かって段階的に幅広形成されている。これにより、携帯電話機は中段部２ｂ及び下段部２ｃにより確実にキャビネット部１に保持され、上段部２ａは携帯電話機の横方向への移動を制限するとともにキャビネット部１への挿入を円滑にするガイド部として機能する。また、携帯電話機の前面の操作キーが保持部２に接触しないため、キャビネット部１への着脱の際に操作キーが誤操作されることを防止できる。１８は携帯電話機本体をキャビネット部１内に固定する電話機固定用ツマミであり、その一部がキャビネット部１の下部中央に設けられた窓部９より突出している。
【００１８】
キャビネット部１及びスタンド部３の構造について図３、図４を参照して詳細に説明する。スタンド部３はＬ字型の側面部１０、及びキャビネット部１とほぼ等しい幅を有する幅広部４ａ、５ａにより構成されており、図１における底面部４及び傾斜部５を形成する。１１は屈折部７において側面部１０の内面に設けられた突起であり、キャビネット部１の背面下部に設けられた本体部６の両端の嵌合孔１２に回転可能に嵌合される。これにより、スタンド部３は屈折部７において突起１１を支点として本体部６に回転可能に装着される。また、屈折部７付近においては、スタンド部３を回転させる際本体部６が障害とならないように幅広部４ａ、５ａがそれぞれ切除されている。なお、傾斜部５の幅広部５ａは底面部４の幅広部４ａよりも大きく切除されており、後述する第２の状態で使用する際、ＡＣアダプターのコードが通過する開口部１３を形成する。
【００１９】
幅広部４ａの先端には切り欠き状の開口部１４が設けられ、第１の状態で充電する場合にＡＣアダプターのコードが通過する。これにより、充電の際ＡＣアダプターのコードが邪魔にならず充電装置を安定した状態で設置できる。保持部２の内部には充電端子１５が設けられており、キャビネット部１に携帯電話機が挿入された際、携帯電話機の充電用電極と接触する。充電端子１５はキャビネット部１を挟んで本体部６に内蔵されている基板及びコネクタ（図示せず）と接続されている。
【００２０】
次に本実施形態における充電装置の内部構造について説明する。図５は本発明の充電装置の第１の状態における断面図（図２におけるＡ−Ａ断面）である。キャビネット部１の本体部６内には充電を制御する基板１６、ＡＣアダプターが接続される充電用コネクタ１７が備えられ、充電用コネクタ１７の接続面１７ａは本体部６の後部より外部に面して設けられている。電話機固定用ツマミ１８の後部にはトーションバネ１９が付設され、電話機固定用ツマミ１８にはトーションバネ１９の復元力によりキャビネット１側へ押圧が掛けられている。これにより、電話機固定用ツマミ１８はトーションバネ１９に付勢されて窓部９からキャビネット部１の前面に突出し、キャビネット部１に挿入される携帯電話機本体の背面に当接して保持部２との間に充電中の携帯電話機を確実に固定することができる。
【００２１】
電話機固定用ツマミ１８の構造を図６により詳細に説明する。電話機固定用ツマミ１８はキャビネット部１の窓部９より突出する爪部１８ａ及び回転軸２０が貫通する支持部１８ｂから構成されている。トーションバネ１９は支持部１８ｂの両側において回転軸２０に巻き付けられており、電話機固定用ツマミ１８の回転軸２０方向への移動を防止している。トーションバネ１９は回転軸２０に巻き付けられた部分を挟んでコ字状部１９ａが爪部１８ａの背面に当接し、トーションバネ１９の両端部１９ｂは本体部６内の隔壁（図示せず）に当接している。つまりトーションバネ１９はその復元力に抗して電話機固定用ツマミ１８と本体部６内の隔壁との間に設置されており、電話機固定用ツマミ１８をキャビネット１側へ付勢することによって、爪部１８ａと保持部２により携帯電話機本体を狭持する。
【００２２】
次に本実施形態の充電装置の使用状態について説明する。図７は第１の状態での使用状態を示す側面図である。２１は携帯電話機を充電するためのＡＣアダプターであり、本体部６の後部に設けられたコネクタ１７の接続面１７ａ（図示せず）に接続されている。２２はＡＣアダプター２１とコンセントをつなぐコードであり、２３は充電装置が設置される設置面である。データ通信を行わない通常の充電の場合は接続口８と設置面２３との間に間隔を設ける必要がないため、第１の状態においてはキャビネット部１の下端は設置面２３付近に位置している。これにより、充電中の携帯電話機をより低い位置で安定に支持することができる。また、コード２２は底面部４の先端の開口部１４を通過するため、コード２２を折り曲げたりせずに充電装置を安定した状態で設置できる。
【００２３】
図８は第２の状態での使用状態を示す側面図である。この場合、スタンド部３は屈折部７を支点として第１の状態から反時計回りに約９０度回転しており、底面部４及び傾斜部５のそれぞれの端部によって設置面２３に当接している。２４はデータ通信用ケーブルであり、キャビネット部１の下端の接続口８を介して携帯電話機に接続されている。第２の状態においてはキャビネット部１の下部は底面部４の屈折部７付近に当接しており、第１の状態に比べキャビネット部１の下端と設置面２３との間に広い空間が形成されるため、データ通信用ケーブル２４を接続する空間が確保される。また、ＡＣアダプター２１のコード２２は傾斜部５の窓状の開口部１３を通過するため、第１の状態と同様にコード２２を折り曲げたりせずに充電装置を安定した状態で設置できる。
【００２４】
これにより、充電中にデータ通信を行う必要のある場合でも充電と並行して問題なく行うことができる。すなわち、先に充電を行っていた場合は充電を中断することなく接続口８にデータ通信用ケーブル２４を接続すればよく、先にデータ通信を行っていた場合はデータ通信用ケーブル２４を接続した状態で携帯電話機をキャビネット部１に挿入すればよい。また、この場合キャビネット部１が設置面から離れるため、第１の状態より高い位置に携帯電話機が保持されることとなるが、スタンド部３は底面部４及び傾斜部５のそれぞれの端部によって設置面に当接しているため、第１の状態に比べ見かけ上の設置面積が広くなる。そのため携帯電話機が倒れにくくなり、第１の状態と同様に安定した状態で充電することができる。
【００２５】
本実施形態では、開口部１３は傾斜部５の幅広部５ａの一部を切除して窓状に、開口部１４は底面部４の端部に切り欠き状に形成したが、開口部１３、１４の形状及び大きさはこれに限られるものではなく、例えば開口部１３、１４を共に窓状としてもよく、共に切り欠き状としてもよい。
【００２６】
【発明の効果】
以上説明したように、本発明によれば、携帯電話機を収容するキャビネット部と設置面との間隔を、底面部と傾斜部からなるＬ字型のスタンド部を回転させることにより第１の状態と第２の状態とで択一選択できることとしたため、データ通信を行わない通常の場合は第１の状態により充電を行い、データ通信を行う場合は第２の状態により充電を行うことによりキャビネット部の下端と設置面との間にデータ通信用ケーブルを接続する空間が確保される。また、データ通信用ケーブルを接続した場合でも安定に設置でき、且つ薄型ストレートタイプの携帯電話機のデザインにもマッチしたデザイン性の高い充電装置を提供できる。
【００２７】
また、第２の状態の場合、データ通信ケーブルを接続した状態で充電が可能となるため、充電中にデータ通信を行う必要が生じた場合、或いはデータ通信中に充電を行う必要が生じた場合においても充電とデータ通信を並行して行うことができる。
【００２８】
また、底面部及び傾斜部にそれぞれＡＣアダプターのコードを通過させる開口部を設けたので、第１の状態、或いは第２の状態での充電中にＡＣアダプターのコードを折り曲げたりせずに充電装置を安定した状態で設置できる。
【図面の簡単な説明】
【図１】は、本発明の第１実施形態の充電装置において第１の状態を示した側面図である。
【図２】は、充電装置の第１の状態を示した正面図である。
【図３】は、充電装置のキャビネット部とスタンド部を分離した状態の斜視図である。
【図４】は、充電装置の第１の状態を示した背面図である。
【図５】は、充電装置の第１の状態における断面図である。
【図６】は、電話機固定用ツマミ部分の拡大図である。
【図７】は、充電装置の第１の状態での使用状態を示す側面図である。
【図８】は、充電装置の第２の状態での使用状態を示す側面図である。
【図９】は、従来の充電装置の側面図である。
【符号の説明】
１．キャビネット部
２．保持部
３．  スタンド部
４．底面部
５．傾斜部
６．  本体部
７．  屈折部
８．  接続口
１０．側面部
１３．開口部
１４．開口部
１５．充電端子
１８．電話機固定ツマミ
２１．ＡＣアダプター
２２．コード
２４．データ通信用ケーブル
【図１】
2004312101.tif 000003
【図２】
2004312101.tif 000004
【図３】
2004312101.tif 000005
【図４】
2004312101.tif 000006
【図５】
2004312101.tif 000007
【図６】
2004312101.tif 000008
【図７】
2004312101.tif 000009
【図８】
2004312101.tif 000010
【図９】
2004312101.tif 000011